(57)【特許請求の範囲】
【請求項１】
血管シール装置の顎部アセンブリであって、
間隔を空けて位置した第１および第２のフランジを有する第１の顎部部材と、
前記第１の顎部部材の前記第１および第２のフランジの間に配置され、単一の第３のフランジを有する第２の顎部部材と、
前記第１の顎部部材および前記第２の顎部部材に枢支ピンによって枢動可能に接続された外側シャフトであって、前記第１の顎部部材および前記第２の顎部部材の両方が前記外側シャフトに対して枢動することができるように、前記枢支ピン、間隔を空けて位置した前記第１および第２のフランジ、前記第３のフランジからなる枢動を形成する、前記外側シャフトと、
クレビスによって前記第１の顎部部材および前記第２の顎部部材に結合される駆動シャフトであって、前記クレビスは、前記第１および第２のフランジの対応する第１および第２のカムスロットと、前記第３のフランジの第３のカムスロットに結合される、前記駆動シャフトと、
を備え、
前記枢支ピンは、前記第２の顎部部材の前記第３のフランジに当接する関係に配置され、直径の変化によって生じる前記枢支ピンの軸に垂直な段部を有する、顎部アセンブリ。
【請求項２】
前記第１および第２の顎部部材は、ナイフ経路を定める対応する第１および第２のスロットを含む、請求項１に記載の顎部アセンブリ。
【請求項３】
前記駆動シャフトから前記単一の第３のフランジの一方側へと延びるナイフブレードをさらに備える、請求項２に記載の顎部アセンブリ。
【請求項４】
前記ナイフ経路は、前記単一の第３のフランジの一方側へと配置される前記ナイフ経路の第１の端部から内側に湾曲する、請求項３に記載の顎部アセンブリ。
【請求項５】
前記外側シャフトは前記駆動シャフトを囲み、前記枢支ピンを支持する、請求項４に記載の顎部アセンブリ。
【請求項６】
前記第１および第２のフランジの一方と前記外側シャフトとの間を延び、第１および第２の導電面にそれぞれ結合される第１および第２のワイヤをさらに備える、請求項５に記載の顎部アセンブリ。
【請求項７】
前記第１および第２の導電面は、それぞれ前記第１および第２の顎部部材によって支持され、かつ前記第１および第２の顎部部材から電気的に絶縁される、請求項６に記載の顎部アセンブリ。
【発明の詳細な説明】
【技術分野】
【０００１】
関連出願の相互参照
本出願は、２０１７年７月１１日に出願された米国特許優先権出願第１５／６４６，２７４号の優先権および利益を主張する。
【０００２】
発明の技術分野
本発明は、電気外科血管シール装置に関し、より具体的には、異なる数のフランジを有する顎部部材から形成されるヒンジ式の顎部アセンブリに関する。
【背景技術】
【０００３】
関連技術の説明
電気外科血管シール装置は、外科処置の最中に、血管の閉塞および止血に使用される。血管シール装置の顎部が、顎部の間に締め付けられた血管を乾燥させてシールするために、顎部に選択的に無線周波数（ＲＦ）エネルギを供給することができる電気外科発電機に相互接続される。さらに、シールされた血管を、顎部への通電によって生成されたシールの中間部分に沿って切断するために、顎部にブレードを組み込むことができる。
【０００４】
従来の血管シール装置は、２つの顎部部材から形成された顎部を有し、各々の顎部部材は、共通のヒンジピンへと接続されたフランジを有し、したがって顎部は、ユーザによるハンドルの操作に応答してはさみのように動く。しかしながら、この構造配置は、非効率的な締め付けおよびユーザの手の疲労につながるエネルギの損失および力の不釣り合いゆえに、機械的に非効率的である。この問題を解決するための現在の手法は、互いに入れ子にしなければならず、したがって本来であれば電気外科供給ワイヤおよび切断ブレードなどの要素に必要なかなりの空間を使用しなければならない二重ヒンジを、両方の顎部部材に使用する。したがって、血管シール装置の顎部部材のヒンジについて、顎部のヒンジによる接続に必要な空間を最適化しつつ、効率的な機械的な締め付けをもたらす改善が、必要とされている。
【発明の概要】
【０００５】
本発明は、より少ない空間で改善された機械的安定性を有する血管シール装置用の顎部アセンブリである。この顎部アセンブリは、間隔を空けて位置した第１および第２のフランジを備える第１の顎部部材と、第１の顎部部材の第１および第２のフランジの間に配置され、第１および第２のフランジに枢動可能に接続される単一の第３のフランジを備える第２の顎部部材とを有する。この顎部アセンブリは、第１および第２のフランジの第１および第２のカムスロットと第３のフランジの第３のカムスロットとに結合されるクレビスを有する駆動シャフトをさらに含むことができる。第１の顎部部材および第２の顎部部材は、枢支ピンによって枢動可能に接続され、枢支ピンは、第２の顎部部材の第３のフランジに対して当接する関係に配置される段部を有することができる。第１および第２の顎部部材は、ナイフ経路を定める対応する第１および第２のスロットを含むことができ、ナイフブレードは、駆動シャフトから単一の第３のフランジの一方側へと延びることができる。ナイフ経路は、単一の第３のフランジの片側を顎部の端部まで湾曲することができる。外側シャフトで駆動シャフトを囲み、枢支ピンを支持することができる。第１および第２のワイヤを、第１および第２のフランジの一方と外側シャフトとの間に延在させて、第１および第２の顎部部材によって支持される第１および第２の導電面に結合することができる。
【図面の簡単な説明】
【０００６】
本発明は、以下の詳細な説明を、添付の図面と併せて検討することによって、さらに充分に理解および認識されるであろう。
【０００７】
【図１】本発明によるヒンジ式の顎部を有する血管シールシステムの斜視図である。
【図２】本発明による血管シールシステムのヒンジ式の顎部の斜視図である。
【図３】本発明による血管シールシステムのヒンジ式の顎部の分解図である。
【図４】本発明による血管シールシステムのヒンジ式の顎部の上面図である。
【図５】本発明による血管シールシステムのヒンジ式の顎部の断面図である。
【発明を実施するための形態】
【０００８】
図面を参照すると、全体を通して同様の数字は同様の部分を指しており、図１において、血管シール装置１２を備える血管シールシステム１０が記載され、血管シール装置１２は、顎部１４を有し、顎部１４は、顎部１４の間に捕らえられた血管を乾燥させるために顎部１４にＲＦエネルギを供給することができる電気外科発電機１６に相互接続される。顎部１４は、シール装置１２のハンドル１８を操作するユーザに応答して開閉するようにヒンジで接続される。
【０００９】
図２に見られるように、顎部１４は、２つの対向する顎部部材２０および２２で構成される。顎部部材２０および２２は、内側導電面２４および２６を含み、内側導電面２４および２６は、顎部１４およびシール装置１０の残りの部分から電気的に絶縁され、電気外科発電機１６に相互接続される。内側導電面２４および２６は、内側導電面２４および２６を通って形成されたスロット２８および３０を有し、スロット２８および３０は、顎部部材２０および２２が閉じられると、通電時の顎部１４の間の組織の乾燥の領域と交差するナイフ経路を定めるように整列する。図２および図３に見られるように、顎部１４ならびにスロット２８および３０によって定められるナイフ経路は、使用時の標的組織の視認性を向上させ、したがって切開外科処置における有用性を高めるために、一方向に湾曲していてもよい。
【００１０】
図３を参照すると、顎部部材２０および２２の一方（顎部部材２２として図示されているが、顎部部材２０であってもよい）は、間隔を空けて位置する二連のヒンジフランジ３２および３４を含む。顎部部材２０および２２の他方（顎部部材２０として図示されているが、顎部部材２２であってもよい）は、二連のヒンジフランジ３２および３４の間に配置され、かつ顎部１４の軸Ｘ−Ｘに沿って中心に配置される単一のヒンジフランジ３６を含む。二連のヒンジフランジ３２および３４は、二連のヒンジフランジ３２および３４を貫いて形成された２つの対向するカムスロット４０および４２ならびに２つの対向する枢支穴４４および４６を含む。単一のフランジ３６は、単一のフランジ３６を貫いて形成された対応する単一のカムスロット４８および対応する単一の枢支穴５０を含む。枢支ピン５２が、シール装置１０が組み立てられたときに、二連のヒンジフランジ３２および３４の２つの対向する枢支穴４４および４６、ならびに単一の枢支穴５０を通って延びる。枢支ピン５２は、軸Ｘ−Ｘに沿って長手方向に延びる外側シャフト５４の端部のクレビス５８に、動かぬように固定される。対応する断面を有する駆動シャフト５６が、外側シャフト５４の内側に配置され、外側シャフト５４内を移動する。駆動シャフト５６は、一端に位置するクレビス６０およびクレビスピン６２によって、二連のヒンジフランジ３２および３４の対向するカムスロット４０および４２ならびに単一のフランジ３６のカムスロット４８に結合される。二連のヒンジフランジ３２および３４のカムスロット４０および４２ならびに単一のフランジ３６のカムスロット４８は、二連のヒンジフランジ３２および３４ならびに単一のヒンジフランジ３６内において、顎部１４の長手軸ＸＸおよび駆動シャフト５６の動きに対して反対の角度に沿って延びる。結果として、軸Ｘ−Ｘに沿った駆動シャフト５６の軸方向の動きにより、二連のヒンジフランジ３２および３４ならびに単一のヒンジフランジ３６が枢支ピン５２を中心にして反対方向に枢動し、したがって顎部１４が駆動シャフト５６の動きの方向に応じて開位置または閉位置へと駆動される。図３および図５に見られるように、枢支ピン５２は、外側シャフト５４内での横方向の動きを制限するために単一のフランジ３６に当接する関係に配置される段部６８を含むことができる。単一のヒンジフランジ４２を二連のヒンジフランジ３２および３４の間に配置することにより、顎部１４は機械的に安定であり、組織の周囲へと閉じられたときに枢支ピン５２の周りの力の不釣り合いに起因するエネルギの損失に悩まされることがない。この機械的安定性の結果として、顎部１４は、より機械的に効率的であり、したがって顎部１４を操作して組織を繰り返し締め付けても、手の疲労につながりにくい。
【００１１】
機械的な切断作業においては、可動のナイフブレード６４を駆動シャフト５６の内側に配置し、顎部部材２０および２２が閉じられたときにスロット３２および３４によって定められるナイフ経路に沿って出し入れすることで、ＲＦエネルギによる乾燥後の組織を切断することができる。ナイフブレード６４は、ナイフブレード６４を軸Ｘ−Ｘに沿って軸方向にナイフ経路を通って駆動することができるように、血管シール装置１０が組み立てられたときに枢支ピン５２およびカムピン６２を位置させることができる長手方向のスロット６６を有する。図５を参照すると、ナイフブレード６４は、単一のフランジ３６の一方側に配置され、したがって長手軸Ｘ−Ｘに対して偏心している。好ましくは、ナイフブレード６４は、顎部１４に設けられる湾曲の外側にオフセットされており、したがってナイフブレード６４が単一のフランジ３６の他方側にオフセットされた場合と比べ、ナイフブレード６４は、スロット３２および３４によって定められるナイフ経路に沿って延ばされるときに、より緩やかな湾曲を通って曲がる。図５に見られるように、電気外科発電機１６を、発電機１６によって顎部部材２０および２２へとＲＦエネルギを供給できるよう、内側導電面２４および２６にそれぞれ結合されるように外側シャフト５４の内側に沿って延びる１対のワイヤ７０および７２によって、顎部部材２０および２２に相互接続することができる。
【００１２】
したがって、血管シール装置１０を、シールすべき血管の周囲に顎部１４を締め付け、次いで二連のヒンジフランジ３２および３４ならびに単一のヒンジフランジ３６を使用することによって生成される外側シャフト５４内の空間に容易に収容されるワイヤ７０および７２を介して導電面２４および２６へと電気外科発電機１６でエネルギを供給することによって、使用することができる。血管の乾燥が完了した後に、ナイフブレード６４をスロット２８および３０によって定められるナイフ経路を通って延ばすことで、切断後の血管の端部がシールされたままであるように、乾燥させた血管を乾燥させた領域において切断することができる。ナイフブレード６４が中心からずらして配置されていることで、ナイフブレード６４を、スロット２８および３０によって定められるナイフ経路の湾曲部に沿ってより容易に進めることができる。
【図１】
0006956849.tif 000002
【図２】
0006956849.tif 000003
【図３】
0006956849.tif 000004
【図４】
0006956849.tif 000005
【図５】
0006956849.tif 000006